(57)【要約】      （修正有）【課題】目地を構成するモルタルの充填を簡易に、かつ、確実に行うことができるとともに、品質が一定の少量のモルタルを簡易に提供することができる、加水モルタル組成物を収容してなる容器を提供する。【解決手段】凝結硬化遅延剤を混和した加水モルタル組成物２を、チューブ状の容器１に密封状態で収容することにより所定期間貯蔵可能にし、この容器１に貯蔵されていた加水モルタル組成物２を、容器１の開口１１から絞り出すことによってビード状に塗布可能にする。【選択図】図１
0003195246.tif 000002
【実用新案登録請求の範囲】
【請求項１】
凝結硬化遅延剤を混和した加水モルタル組成物を密封状態で収容して所定期間貯蔵可能にする容器に、前記加水モルタル組成物を収容して貯蔵するようにするとともに、該容器が、前記貯蔵されていた加水モルタル組成物を、容器の開口から絞り出すことによってビード状に塗布可能にする開口を備えてなることを特徴とする加水モルタル組成物を収容してなる容器。
【請求項２】
加水モルタル組成物が、増粘剤を混和してなることを特徴とする請求項１記載の加水モルタル組成物を収容してなる容器。
【請求項３】
前記容器が、密封可能なチューブ状の容器からなることを特徴とする請求項１又は２記載の加水モルタル組成物を収容してなる容器。
【考案の詳細な説明】
【技術分野】
【０００１】
本考案は、加水モルタル組成物を収容してなる容器に関するものである。
【背景技術】
【０００２】
モルタル組成物やコンクリート組成物を構成するセメントは、水と接触することによりその粒子表面で水和反応が起こり、水和物を生成し、凝結硬化することによって所定の強度を発現するものである。
このため、施工にあたっては、この水和反応によりセメントが凝結硬化する前に、モルタルやコンクリートを打設等する必要がある。
このようなセメントの凝結硬化を遅らせて、モルタルやコンクリートを打設等する作業時間を確保するために、従来、種々の凝結硬化遅延剤（凝結硬化超遅延剤と呼ばれるものを含み、本明細書において、単に、「凝結硬化遅延剤」という。）をモルタルやコンクリートに混和する手段が講じられている。
【０００３】
ところで、上記凝結硬化遅延剤をモルタルやコンクリートに混和する手段は、モルタルやコンクリートを打設等する作業時間を確保することができる点で有益である反面、凝結硬化遅延剤の添加量等の調整に専門的な知識を有し、手数やコストがかかることから、従来、杭等の大型構造物の構築に用いられることが一般的で、例えば、施工現場でセメント、骨材及び水を混練して少量のモルタルやコンクリートを調製して使用する、コンクリートブロックを用いた小規模な塀、建物の壁体等の躯体の構築には、施工が短時間で完了するためモルタルやコンクリートを打設等する作業時間を確保することに対するニーズが乏しいこともあって用いられていなかった。
【０００４】
一方、上記コンクリートブロックを用いて小規模な塀、建物の壁体等の躯体を構築する場合、目地を構成するモルタルをバインダとして隣接するブロック同士を一体化するようにしているが、特に、縦目地は、従来の鏝を用いた作業方法では、目地を構成するモルタルを盛りにくく、また、過剰にモルタルを盛ると余剰分が目地からはみ出して外観が悪くなるためモルタルの量を控える傾向があり、これらの理由から、モルタルの充填が不十分になりやすく、温度変化や経年変化に起因するブロックと目地との収縮率の差等によって、定着状態を維持できなくなり、ひび割れや隙間が発生しやすいという問題があった。
【０００５】
この問題点に対処するため、本件出願人は、先に、ブロックのフェイスシェルの側面に、フェイスシェルの高さ方向に延びる凹溝を設け、この凹溝に目地を形成するモルタルが充填されるようにしたブロックを提案した（特許文献１参照。）。
【先行技術文献】
【特許文献】
【０００６】
【特許文献１】実用新案登録第３１９０９０８号公報
【考案の概要】
【考案が解決しようとする課題】
【０００７】
本件出願人の提案に係る特許文献１のブロックは、ブロックと目地とを強固に一体化することができ、温度変化や経年変化に起因するブロックと目地との収縮率の差等があっても、長期間に亘って、ブロックと目地、ひいては隣接するブロック同士の定着状態を安定して維持することができ、ひび割れや隙間の発生を防止することができるものであるが、目地を構成するモルタルの充填が不十分になりやすいという問題を抜本的に解決するものではなかった。
【０００８】
また、施工現場でセメント、骨材及び水を混練して少量のモルタルを調製する場合、品質を一定に保持しにくいという問題もあった。
【０００９】
本考案は、従来の鏝を用いた作業方法に起因する、目地を構成するモルタルの充填が不十分になりやすいという問題点、及び施工現場でセメント、骨材及び水を混練して少量のモルタルを調製する方法に起因する、品質を一定に保持しにくいという問題点を解消し、目地を構成するモルタルの充填を簡易に、かつ、確実に行うことができるとともに、品質が一定の少量のモルタルを簡易に提供することができる、加水モルタル組成物を収容してなる容器を提供することを目的とする。
【課題を解決するための手段】
【００１０】
上記目的を達成するため、本考案の加水モルタル組成物を収容してなる容器は、凝結硬化遅延剤を混和した加水モルタル組成物を密封状態で収容して所定期間貯蔵可能にする容器に、前記加水モルタル組成物を収容して貯蔵するようにするとともに、該容器が、前記貯蔵されていた加水モルタル組成物を、容器の開口から絞り出すことによってビード状に塗布可能にする開口を備えてなることを特徴とする。
【００１１】
この場合において、加水モルタル組成物が、増粘剤を混和したものとすることができる。
【００１２】
また、前記容器が、密封可能なチューブ状の容器からなることができる。
【考案の効果】
【００１３】
本考案の加水モルタル組成物を収容してなる容器によれば、凝結硬化遅延剤を混和した加水モルタル組成物を密封状態で収容して所定期間貯蔵可能にする容器に、前記加水モルタル組成物を収容して貯蔵するようにするとともに、該容器が、前記貯蔵されていた加水モルタル組成物を、容器の開口から絞り出すことによってビード状に塗布可能にする開口を備えてなることから、工場等において、生産設備を用いて所定の調合割合で生産、調製した、凝結硬化遅延剤を混和した加水モルタル組成物を、容器に密封状態で収容することにより、所定期間、例えば、数日〜数ヶ月程度貯蔵可能な状態にしたものを製造し、施工現場において、容器に貯蔵されていた加水モルタル組成物を、容器の開口からビード状に絞り出すことによって、例えば、目地を構成するのに適量のモルタルを、ブロックのフェイスシェルの側面に塗布することにより盛り付けることができ、目地を構成するモルタルの充填を簡易に、かつ、確実に行うことができる。
また、加水モルタル組成物は、工場等において、生産設備を用いて所定の調合割合で生産、調製されるため、品質が一定で、施工現場において使用される少量のモルタルを簡易に提供することができる。
【００１４】
また、容器が、加水モルタル組成物をビード状に塗布可能にするための容器を兼ねることから、加水モルタル組成物を移し替えする手間を省略でき、作業性を向上することができる。
【００１５】
また、加水モルタル組成物が、増粘剤を混和したものとすることにより、加水モルタル組成物に、例えば、目地を構成するのに適度の粘性を持たせることができる。
【００１６】
また、前記容器が、密封可能なチューブ状の容器からなることにより、取り扱いが容易で、作業性を一層向上することができる。
【図面の簡単な説明】
【００１７】
【図１】本考案の加水モルタル組成物を収容してなる容器の一実施例（第１の容器が、第２の容器を兼ねるようにした一実施例）の説明図である。
【図２】同第１変形実施例を示す説明図である。
【図３】同第２変形実施例を示す説明図である。
【考案を実施するための形態】
【００１８】
以下、本考案の加水モルタル組成物の実施の形態を、図面に基づいて説明する。
【００１９】
図１〜図３に、本考案の加水モルタル組成物を収容してなる容器の一実施例を示す。
この加水モルタル組成物は、凝結硬化遅延剤、さらに必要に応じて、増粘剤を混和した加水モルタル組成物２を、容器１に密封状態で収容することにより所定期間貯蔵可能にし、この容器１に貯蔵されていた加水モルタル組成物２を、容器１の開口１１から絞り出すことによってビード状に塗布可能にするようにしたものである。
【００２０】
ところで、本実施例においては、容器１が、加水モルタル組成物を、密封状態で収容して所定期間貯蔵可能にする容器（第１の容器）と貯蔵されていた加水モルタル組成物を収容して開口から絞り出すことによってビード状に塗布可能にする容器（第２の容器）の両方の機能を有するものとし、第１の容器と第２の容器を兼ねるようにしたが、第１の容器と第２の容器を個別に構成すること（参考例）もできる。
【００２１】
すなわち、第１の容器には、工場等において、生産設備を用いて所定の調合割合で生産、調製した、凝結硬化遅延剤、さらに必要に応じて、増粘剤を混和した加水モルタル組成物を、密封状態で収容することにより、所定期間、例えば、数日〜数ヶ月程度（通常、現場施工の工期等を考慮して、１週間程度又はそれ以上。）貯蔵可能な状態にできる機能を有するもの、具体的には、ポリエチレン樹脂等のポリオレフィン樹脂、ＰＥＴ樹脂、ポリアミド樹脂、その他の合成樹脂（ガスバリアー性を有する積層樹脂を含む。）をブロー成形してなる容器や袋状にしてなる容器、アルミニウム層を積層した合成樹脂フィルムからなるパック状の容器等を好適に用いることができる。
【００２２】
一方、第２の容器には、第１の容器に貯蔵されていた加水モルタル組成物を移し替え、収容して、容器の開口からビード状に絞り出すことができる機能を有するもの、具体的には、ポリエチレン樹脂等のポリオレフィン樹脂、ＰＥＴ樹脂、ポリアミド樹脂、その他の合成樹脂をブロー成形してなる容器を好適に用いることができる。
【００２３】
そして、第１の容器と第２の容器を兼ねる容器には、従来、食品等の包装容器に汎用されている容器を転用することができ、例えば、図１に示す、ポリエチレン樹脂等のポリオレフィン樹脂、その他の合成樹脂（ガスバリアー性を有する積層樹脂を含む。）をブロー成形してなる、封止シール１０及び開口１１を備えたキャップ１２付き容器１（キャップ１２に代えて、ノズル１３をアタッチメントとして装着することもできる。）、図２に示す、アルミニウム層を積層した合成樹脂フィルムからなるパック状のキャップ１４付き容器１、図３に示す、アルミニウム層を積層した合成樹脂フィルムからなるパック状の開封口部１５（開封口部１５の開口位置で絞り出すビードの太さを調節することができるようにすることもできる。）付き容器１等を好適に用いることができる。
このほか、第１の容器と第２の容器を兼ねる容器には、従来、シール樹脂等のコーキング剤の包装容器に汎用されている容器（及びその充填に用いられているコーキングガン）を転用することもできる。
【００２４】
本考案において、加水モルタル組成物に混和する凝結硬化遅延剤には、従来汎用されている任意の凝結硬化遅延剤を使用することができる。
具体的には、無機系の凝結硬化遅延剤としては、フッ化物、硼酸類、リン酸塩、亜鉛、鉛、銅酸化物等を、有機系の凝結硬化遅延剤としては、グルコン酸、クエン酸、酒石酸、リンゴ酸等の（オキシ）カルボン酸（塩）、ケト酸（塩）、糖類、糖アルコール類、高分子有機酸塩（リグニンスルホン酸塩、ポリアクリル酸塩等）等を、単独で、又は混合して使用することができる。
【００２５】
また、加水モルタル組成物に混和する増粘剤は、加水モルタル組成物に適度の粘性を持たせることができるもので、増粘剤には、セルロース系増粘剤やグリコール系増粘剤等の従来汎用されている任意の増粘剤を使用することができる。
【００２６】
本考案の加水モルタル組成物を収容してなる容器は、工場等において、生産設備を用いて所定の調合割合で生産、調製した、凝結硬化遅延剤を混和した加水モルタル組成物２を、容器１（第１の容器）に密封状態で収容することにより、所定期間、例えば、数日〜数ヶ月程度貯蔵可能な状態にしたものを製造し、施工現場において、容器１（第１の容器）に貯蔵されていた加水モルタル組成物を、容器１に収容した状態で（第２の容器に収容して）、容器１（第２の容器）の開口１１からビード状に絞り出すことによって、例えば、目地を構成するのに適量のモルタルを、ブロックのフェイスシェルの側面に塗布することにより盛り付けることができ、目地を構成するモルタルの充填を簡易に、かつ、確実に行うことができる。
また、加水モルタル組成物２は、工場等において、生産設備を用いて所定の調合割合で生産、調製されるため、品質が一定で、施工現場において使用される少量のモルタルを簡易に提供することができる。
【００２７】
そして、加水モルタル組成物２を、図１に示す、ポリエチレン樹脂（ガスバリアー性を有する積層樹脂。）をブロー成形してなる、封止シール１０及び開口１１を備えたキャップ１２付き容器１に収容し、所定期間（１週間）貯蔵し、容器１の開口１１からビード状に絞り出すことによって、目地を構成するのに適量のモルタルを、ブロックのフェイスシェルの側面に塗布することにより盛り付けることができ、モルタルの充填不良のない目地を形成できることを確認した。
【００２８】
以上、本考案の加水モルタル組成物を収容してなる容器について、その実施例に基づいて説明したが、本考案は上記実施例に記載した構成に限定されるものではなく、その趣旨を逸脱しない範囲において適宜その構成を変更することができるものである。
【産業上の利用可能性】
【００２９】
本考案の加水モルタル組成物を収容してなる容器は、目地を構成するモルタルの充填を簡易に、かつ、確実に行うことができるとともに、品質が一定の少量のモルタルを簡易に提供することができることから、コンクリートブロックを用いて小規模な塀、建物の壁体等の躯体を構築する場合の目地を構成する用途に好適に用いることができる等、施工現場でセメント、骨材及び水を混練して少量のモルタルを調製する方法の代替として広く用いることができる。
【符号の説明】
【００３０】
１  容器（第１及び第２の容器）
１１  開口
２  加水モルタル組成物
【図１】
0003195246.tif 000003
【図２】
0003195246.tif 000004
【図３】
0003195246.tif 000005